(57)【要約】      （修正有）【課題】ペット犬等の四足動物が手術をしたような場合に、エリザベスカラーの装着を不要とし、その術後における傷口の保護を的確に図ることができ、かつ、開放感を損なうことなく、また、ストレスを感じさせることのないようにしたペット犬の術後用衣服を提供する。【解決手段】ペット犬の術後用衣服１は、手術を受けたペット犬等の胴部の周り、特に手術を受けた部分とその周囲を、抗菌加工を施したガーゼ生地を用いた開閉着脱具をもって、開閉可能に覆う首・胴覆部３を有する構成とした。【選択図】図１
0003224600.tif 000002
【実用新案登録請求の範囲】
【請求項１】
ペット犬等の四足動物の身体の胴部の周り、特に手術を受けた部分とその周囲を、開閉着脱具をもって開閉可能に覆う身体覆部を有することを特徴とし、
ペット犬等の四足動物が何らかの要因で手術をしたような場合に、従来のようなエリザベスカラーの装着を不要とし、術後における傷口の保護を的確に図ることができ、かつ、開放感を損なうことなく、また、ストレスを感じさせることのないようにしたことを特徴とするペット犬の術後用衣服。
【請求項２】
ペット犬等の四足動物の身体の胴部の周り、特に手術を受けた部分とその周囲を、開閉着脱具をもって開閉可能に覆う胴覆部を有することを特徴とし、
ペット犬等の四足動物が何らかの要因で手術をしたような場合に、従来のようなエリザベスカラーの装着を不要とし、術後における傷口の保護を的確に図ることができ、かつ、開放感を損なうことなく、また、ストレスを感じさせることのないようにしたことを特徴とするペット犬の術後用衣服。
【請求項３】
ペット犬等の四足動物の両前足を挿通させる前足挿通部を備えるとともに、首周り及び胴部の一部を覆う首・胴覆部を備えるペット犬等の四足動物の既存の衣服に対して、後付けで着脱可能に構成したペット犬の術後用衣服であって、
前記ペット犬等の四足動物の前記胴部の一部に連なる胴部領域を、開閉着脱具をもって開閉可能に覆う胴覆部を有するとともに、前記ペット犬等の四足動物の既存の衣服の後端側に備えた連結受部に、着脱可能で連結可能とした連結部を備えることを特徴とし、
ペット犬等の四足動物が何らかの要因で手術をしたような場合に、従来のようなエリザベスカラーの装着を不要とし、術後における傷口の保護を的確に図ることができ、かつ、開放感を損なうことなく、また、ストレスを感じさせることのないようにしたことを特徴とするペット犬の術後用衣服。
【請求項４】
前記ペット犬の術後用衣服は、抗菌加工を施したガーゼ生地を用いたものであり、その一部にゴムシャーリング加工を施したものであることを特徴とする請求項１乃至３のいずれか１項に記載のペット犬の術後用衣服。
【請求項５】
前記ペット犬の術後用衣服は、犬用又は猫用であることを特徴とする請求項１乃至４のいずれか１項に記載のペット犬の術後用衣服。
【考案の詳細な説明】
【技術分野】
【０００１】
本考案は、ペット犬の術後用衣服に関するものであり、詳しくは、ペット犬等をはじめとする四足動物が手術を受けたような場合に、従来のようなエリザベスカラーの装着を不要とし、その術後における傷口の保護を的確に図ることができ、かつ、開放感を損なうことなく、また、ストレスを感じさせることのないようにしたペット犬の術後用衣服に関するものである。
【背景技術】
【０００２】
従来、愛玩動物である犬や猫を多くの人々が飼育するようになり、これらを家族と同様に扱い、ペット犬等が手術を受けるような場合が多々発生し、手術後においては愛玩精神から各種の衣服を着せるのが実情である。
【０００３】
そして、術後におけるペット犬等に衣服を着用させる場合、術後の傷口を保護（術後のペット犬等が傷口を舐めたりしないように）するために、衣服の着用とともに、エリザベスカラーと称されるエリカラーを着用させて、術後のペット犬等の首から上の頭部全体の部分が周囲に接触しないようにするのが実情である。
【０００４】
しかし、一般的なエリザベスカラーは、プラスチック製のメガホン型でできているものが殆どであり、術後にエリザベスカラーを着用したペット犬等にあっては、当該エリザベスカラーにおける顔・頭部よりも幅が広い形状の部分（首から上の顔・頭部全体の部分）は、周りに接触する機会が多く、術後におけるペット犬等が食物を食べたり、水を飲むとき、更には散歩時の歩行等において周囲物体と不用意に接触してしまうことから、術後におけるペット犬等に対して、開放感を損ない、大きなストレスを与えてしまっているというのが実情である。
【０００５】
特許文献１には、緯編み機で編成された編布を素材として、愛玩犬の前身ごろ、後身ごろ及び脇身ごろを、袖刳り、襟刳りができるように形成し、これら形成した編布を縫製して、アームホールには袖を、ネックホールには襟を縫合して構成した愛玩犬用上着が提案されている。
【０００６】
しかしながら、特許文献１をはじめとする従来においては、愛玩犬への衣服の着せ易さや愛玩犬の着心地の良さを図ったものは従来存在するが、特許文献１をはじめとする従来には、愛玩動物が何らかの要因で手術を受けたような場合に、従来のようなエリザベスカラーの装着を不要とし、その術後における傷口の保護を的確に図るような要素の衣服はなく、かつ、術後におけるペット犬等が食物を食べたり、水を飲むとき、更には散歩時の歩行等において、術後におけるペット犬等に対して、開放感を損なうことなく、大きなストレスを与えることのないようにする衣服は存在しないのが実情である。
【先行技術文献】
【特許文献】
【０００７】
【特許文献１】特開２００６−１１５７０８号公報
【考案の概要】
【考案が解決しようとする課題】
【０００８】
本考案は、上述した従来の実情に鑑み創作されたものであり、ペット犬等の四足動物が手術を受けたような場合に、従来のようなエリザベスカラーの装着を不要とし、その術後における傷口の保護を的確に図ることができ、かつ、術後におけるペット犬等に対して、開放感を損なうことなく、また、大きなストレスを与えることのないようにしたペット犬の術後用衣服を提供するものである。
【課題を解決するための手段】
【０００９】
本考案に係るペット犬の術後用衣服は、ペット犬等の四足動物が手術をしたような場合に、従来のようなエリザベスカラーの装着を不要とし、その術後における傷口の保護を的確に図ることができ、かつ、開放感を損なうことなく、また、ストレスを感じさせることのないようにしたペット犬の術後用衣服を実現し提供するという目的を、手術を受けたペット犬等の胴部の周り、特に手術を受けた部分とその周囲を、抗菌加工を施したガーゼ生地を用いた開閉着脱具をもって、開閉可能に覆う胴覆部を有することを主要な特徴とする。
【考案の効果】
【００１０】
請求項１、２記載の考案によれば、ペット犬等の四足動物が、身体のいずれかの箇所に手術を受けたような場合に、従来のようなエリザベスカラーの装着を不要とし、その術後における傷口の保護を的確に図ることができ、かつ、開放感を損なうことなく、また、ストレスを感じさせることのないようにしたペット犬の術後用衣服を実現し提供することができる。
【００１１】
請求項３記載の考案によれば、ペット犬等の四足動物の既存の衣服に対して、後付け型として構成した術後用衣服の基に、前記請求項１、２記載の考案の効果と同様に、ペット犬等がその胴部に手術を受けたような場合に、従来のようなエリザベスカラーの装着を不要とし、その術後における傷口の保護を的確に図ることができ、かつ、開放感を損なうことなく、また、ストレスを感じさせることのないようにしたペット犬の術後用衣服を実現し提供することができる。
【００１２】
請求項４記載の考案によれば、前記ペット犬等の術後用衣服を、抗菌加工を施したガーゼ生地を用いて形成し、その一部にゴムシャーリング加工を施して構成したものであることから、術後におけるペット犬等の傷口の保護を一層的確に図ることができ、ペット犬等の四足動物にとって、一層着用感を良好とすることができるペット犬の術後用衣服を実現し提供することができる。
【００１３】
請求項５記載の考案によれば、四足動物であるペット犬は勿論のこと、他の四足動物である猫にも適用して好適なペット犬の術後用衣服を実現し提供することができる。
【図面の簡単な説明】
【００１４】
【図１】図１は本考案の実施例１に係るペット犬の術後用衣服の着用状態を示す概略斜視図である。
【図２】図２は本実施例１に係るペット犬の術後用衣服の着用前の概略底面図である。
【図３】図３はペット犬の術後用衣服の着用前の概略上面図である。
【図４】図４は本考案の実施例２に係る既存のペット用衣服に後付け型の術後衣服を装着した状態を示す概略斜視図である。
【図５】図５は本実施例２に係る既存のペット用衣服に装着するようにした後付け型の術後衣服の概略平面図である。
【図６】図６は本実施例２に係る既存のペット用衣服に対する後付け型の術後衣服の取り付け状態を示す概略斜視図である。
【考案を実施するための形態】
【００１５】
本考案は、ペット犬等の四足動物が手術をしたような場合に、従来のようなエリザベスカラーの装着を不要とし、その術後における傷口の保護を的確に図ることができ、かつ、開放感を損なうことなく、また、ストレスを感じさせることのないようにしたペット犬の術後用衣服を実現し提供するという目的を、手術を受けたペット犬等の胴部の周り、特に手術を受けた部分とその周囲を、抗菌加工を施したガーゼ生地を用いた開閉着脱具をもって、開閉可能に覆う胴覆部を有する構成により実現した。
【実施例】
【００１６】
以下、図面を参照して、本考案の実施例に係るペット犬の術後用衣服について詳細に説明する。
【００１７】
（実施例１）
まず、本実施例１に係るペット犬の術後用衣服１について、図１乃至図３を参照して説明する。
【００１８】
本実施例１に係るペット犬の術後用衣服１は、図１乃至図３に示すように、ペット犬等の四足動物である犬Ｄの２本の前足を挿通させる一対の前足挿通部２、２を備えるとともに、犬Ｄの首周り及び胴部の一部を覆う胴覆部（身体覆部）として機能する首・胴覆部３を備え、かつ、前記首・胴覆部３の背面（背中）側に、前記犬Ｄの首・胴部の周りの開閉着脱具である複数個（例えば６個）の直列配置のホック４を設け、このホック４を利用して前記首・胴部の周りを開閉可能に覆うように構成している。
【００１９】
前記術後衣服１は、胴部の周り、特に手術を受けた部分とその周囲を、抗菌加工を施したガーゼ生地を用いたものであり、かつ、前記首・胴覆部３の一部（図２、図３に点線で示す）にゴムシャーリング加工部５を施している。
【００２０】
前記ゴムシャーリング加工部５は、ガーゼ生地の表面が目のつまった艶のあるビロード生地のように平坦となり、伸縮性、装飾性に優れるものである。
【００２１】
本実施例１に係るペット犬の術後用衣服１によれば、犬Ｄ等が胴部の手術をしたような場合に、従来のようなエリザベスカラーの装着を不要とし、前記首・胴覆部３によりその術後における傷口の保護を的確に図ることができるとともに、犬Ｄ等が自らの傷口を舐めるという事態も防止でき、かつ、術後におけるペット犬等に対して、従来のエリザベスカラーを着用した場合のような不都合はなく、開放感を損なうこともなく、ストレスも感じさせることもないという顕著な効果を奏する。
【００２２】
（実施例２）
本考案の実施例２に係るペット犬の術後用衣服１Ａについて、図４乃至図６を参照して説明する。
【００２３】
本実施例２に係るペット犬の術後用衣服１Ａは、図４に示すように、既存のペット用衣服、すなわち、四足動物である犬Ｄの２本の前足を挿通させる前足挿通部１２を備えるとともに、首周り及び胴部の一部を覆う首・胴覆部１３を備え、前記犬Ｄが着用するようにした既存の衣服１１に対して、後付けで着脱可能としたものである。
【００２４】
前記ペット犬の術後用衣服１Ａは、図５に示すように、犬Ｄの胴部の周り、特に手術を受けた部分とその周囲を、抗菌加工を施したガーゼ生地を用いて平面視略四辺形状に形成され、その両側辺部に開閉着脱具である面ファスナー６ａ、６ｂを分散配置（片側４個づつの分散配置）に備えるとともに、面ファスナー６ａ、６ｂ間の中央領域に、犬Ｄの前記胴部、特に手術を受けた部分とその周囲に連なる胴部領域を覆い身体覆部として機能する胴覆部７を形成している。
【００２５】
また、前記ペット犬の術後用衣服１Ａにおける前記既存の衣服１１側に臨ませる一辺側には、前記既存の衣服１１の後端側に備えた連結受部であるホック受部１４（例えば７個分散配置）に着脱可能に連結可能な連結部であるホック部８（例えば７個分散配置）を設けている。
【００２６】
更に、前記ペット犬の術後用衣服１Ａにおける一辺側、及び他辺には、既述した場合と同様なゴムシャーリング加工部５Ａ（図５においては黒塗りで示す）を設けている。
【００２７】
図６は、本実施例２に係る犬Ｄ等の四足動物の後付け型の術後衣服１Ａの既存の衣服１１に対する、取り付け状態を概略的に示すものである。
前記後付け型の術後衣服１Ａの両側辺部に設けた面ファスナー６ａ、６ｂ同士を背中で重合して胴覆部７の形態を円胴状として、前記犬Ｄの胴部を開閉可能に覆うようにするとともに、前記ホック部８を着用する既存の衣服１１側のホック受部１４に着脱可能に嵌め付けることにより、この後付け型の術後衣服１Ａを着用済の衣服１１に対して後に取り付けるようにしたものである。
【００２８】
本実施例２に係るペット犬の術後用衣服１Ａによれば、後付け型の構成の基に、犬Ｄ等の四足動物が胴部の手術をしたような場合に、前記したと同様に、その術後における傷口の保護を的確に図ることができるとともに、犬Ｄ等が自らの傷口を舐めるという事態も防止でき、かつ、従来のエリザベスカラーを着用した場合のような不都合はなく、術後におけるペット犬等に対して、開放感を損なうこともなく、ストレスを感じさせることもないという顕著な効果を奏することに加えて、前記術後衣服１Ａを既に着用済の衣服１１に対して後付けで着脱可能としているので、犬Ｄの傷口の保護が不要となった際には、前記術後衣服１Ａを取り外して犬Ｄの姿を既存の着用済の衣服１１のみの形態に戻すことも容易に可能となる利点も存する。
【産業上の利用可能性】
【００２９】
本考案に係るペット犬の術後用衣服は、犬用とする場合の他、猫等の他種の四足の愛玩動物用の術後衣服として広範に利用可能である。
【符号の説明】
【００３０】
１    ペット犬の術後用衣服
１Ａ  ペット犬の術後用衣服
２    前足挿通部
３    首・胴覆部
４    ホック
５    ゴムシャーリング加工部
５Ａ  ゴムシャーリング加工部
６ａ  面ファスナー
６ｂ  面ファスナー
７    胴覆部
８    ホック部
１１    既存のペット用衣服
１２    前足挿通部
１３    首・胴覆部
１４    ホック受部
Ｄ    犬
【図１】
0003224600.tif 000003
【図２】
0003224600.tif 000004
【図３】
0003224600.tif 000005
【図４】
0003224600.tif 000006
【図５】
0003224600.tif 000007
【図６】
0003224600.tif 000008
【手続補正書】
【提出日】令和1年11月6日(2019.11.6)
【手続補正１】
【補正対象書類名】明細書
【補正対象項目名】００１０
【補正方法】変更
【補正の内容】
【００１０】
請求項１記載の考案によれば、ペット犬等の四足動物が、身体のいずれかの箇所に手術を受けたような場合に、従来のようなエリザベスカラーの装着を不要とし、その術後における傷口の保護を的確に図ることができ、かつ、開放感を損なうことなく、また、ストレスを感じさせることのないようにしたペット犬の術後用衣服を実現し提供することができる。
【手続補正２】
【補正対象書類名】明細書
【補正対象項目名】００１１
【補正方法】変更
【補正の内容】
【００１１】
請求項２記載の考案によれば、ペット犬等の四足動物の既存の衣服に対して、後付け型として構成した術後用衣服の基に、前記請求項１記載の考案の効果と同様に、ペット犬等がその胴部に手術を受けたような場合に、従来のようなエリザベスカラーの装着を不要とし、その術後における傷口の保護を的確に図ることができ、かつ、開放感を損なうことなく、また、ストレスを感じさせることのないようにしたペット犬の術後用衣服を実現し提供することができる。
【手続補正３】
【補正対象書類名】明細書
【補正対象項目名】００１２
【補正方法】変更
【補正の内容】
【００１２】
請求項３記載の考案によれば、前記ペット犬等の術後用衣服を、抗菌加工を施したガーゼ生地を用いて形成し、その一部にゴムシャーリング加工を施して構成したものであることから、術後におけるペット犬等の傷口の保護を一層的確に図ることができ、ペット犬等の四足動物にとって、一層着用感を良好とすることができるペット犬の術後用衣服を実現し提供することができる。
【手続補正４】
【補正対象書類名】明細書
【補正対象項目名】００１３
【補正方法】変更
【補正の内容】
【００１３】
請求項４記載の考案によれば、四足動物であるペット犬は勿論のこと、他の四足動物である猫にも適用して好適なペット犬の術後用衣服を実現し提供することができる。
【手続補正５】
【補正対象書類名】実用新案登録請求の範囲
【補正対象項目名】全文
【補正方法】変更
【補正の内容】
【実用新案登録請求の範囲】
【請求項１】
ペット犬等の四足動物が何らかの要因で手術を受けた場合に、従来のようなエリザベスカラーの装着を不要とし、術後における傷口の保護を的確に図ることができ、かつ、開放感を損なうことなく、また、ストレスを感じさせることのないようにしたことを特徴とするペット犬の術後用衣服であって、
ペット犬等の四足動物の胴部の周囲を、装着した際に背中側に位置する開閉着脱具を備えた首・胴覆部でもって開閉可能に覆うことで装着時に筒状となるように構成したことを特徴とするペット犬の術後用衣服。
【請求項２】
ペット犬等の四足動物が何らかの要因で手術を受けた場合に、従来のようなエリザベスカラーの装着を不要とし、術後における傷口の保護を的確に図ることができ、かつ、開放感を損なうことなく、また、ストレスを感じさせることのないようにしたことを特徴とするペット犬の術後用衣服であって、
ペット犬等の四足動物の両前足を挿通させる前足挿通部を備え、首周り及び胴部の一部を覆う首・胴覆部を備えるペット犬等の四足動物の既存の衣服に対して、後付けで着脱可能となるように構成し、
ペット犬等の四足動物の胴部の周囲を、装着した際に背中側に位置する開閉着脱具を備えた首・胴覆部でもって開閉可能に覆うことで装着時に筒状となるようにしたとともに、前記ペット犬等の四足動物の既存の衣服の後端側に備えた連結受部に、着脱可能で連結可能とした連結部を備えて構成したことを特徴とするペット犬の術後用衣服。
【請求項３】
前記ペット犬の術後用衣服は、抗菌加工を施したガーゼ生地を用いたものであり、その一部にゴムシャーリング加工を施したものであることを特徴とする請求項１又は２記載のペット犬の術後用衣服。
【請求項４】
前記ペット犬の術後用衣服は、犬用又は猫用であることを特徴とする請求項１乃至３のいずれか１項に記載のペット犬の術後用衣服。
【手続補正６】
【補正対象書類名】図面
【補正対象項目名】図１
【補正方法】変更
【補正の内容】
【図１】
0003224600.tif 000009